(57)【要約】【課題】軽量で気密荷重に対する高い剛性を備えるとともに空力騒音を抑制できる鉄道車両を提供すること【解決手段】上記の課題は、中空押出形材からなる屋根構体（３０）と、屋根構体に備えられる特高ケーブル（７０）を有する鉄道車両（１）であって、この鉄道車両が中空押出形材の内部に備えられる特高ケーブルを有することを特徴とする鉄道車両によって解決できる。また、中空押出形材の内側縦リブによって形成される、特高ケーブルを載置する空間の断面形状を、略逆台形にすることにより、特高ケーブルを安定して保持することができる。【選択図】図１
2018203138.tif 000002
【特許請求の範囲】
【請求項１】
中空押出形材からなる屋根構体と、
前記屋根構体に備えられる特高ケーブルと、
を有する鉄道車両において、
前記特高ケーブルが前記屋根構体を構成する前記中空押出形材の内部に備えられることを特徴とする鉄道車両。
【請求項２】
請求項１に記載される鉄道車両において、
前記中空押出形材は、
前記鉄道車両の車外側に配設される第１面板と、
前記第１面板に略平行に配設されるとともに前記鉄道車両の車内側に配設される第２面板と、
前記第１面板と前記第２面板とを接続する複数の斜めリブと、
前記第１面板と前記第２面板とを接続する複数の内側縦リブと、
を備えており、
前記鉄道車両は、
前記中空押出形材の前記第１面板と、前記第２面板と、一対の前記内側縦リブと、で囲まれる空間に備えられる前記特高ケーブルを有すること
を特徴とする鉄道車両。
【請求項３】
請求項２に記載される鉄道車両において、
前記特高ケーブルは前記屋根構体の幅方向の中央部に配設される前記中空押出形材の前記空間に備えられており、
前記空間は、
前記第１面板に接続する一対の前記内側縦リブの前記幅方向の第１間隔が、前記第２面板に接続する一対の前記内側縦リブの前記幅方向の第２間隔より大きく設定された略逆台形であること
を特徴とする鉄道車両。
【請求項４】
請求項３に記載された鉄道車両において、
前記第２間隔は、前記特高ケーブルの外径より小さく、
前記第１間隔は、前記特高ケーブルの外径より大きく、設定されること
を特徴とする鉄道車両。
【請求項５】
請求項４に記載された鉄道車両において、
前記特高ケーブルは、
前記屋根構体の長手方向の端部の第１面板に設けられた開口部を経由して、前記空間に設置されていること
を特徴とする鉄道車両。
【請求項６】
請求項５に記載された鉄道車両において、
前記鉄道車両は、
前記特高ケーブルが通される筒と、
前記筒が傾斜する態様で固定されるとともに前記開口部を覆う蓋と、
を有すること
を特徴とする鉄道車両。
【発明の詳細な説明】
【技術分野】
【０００１】
本発明は、特高ケーブルを備える鉄道車両に関する。
【背景技術】
【０００２】
近年、鉄道車両には、車内音の低減による高品質化や部品点数の削減による低コスト化が求められている。このため鉄道車両を、アルミニウム合金製の中空押出形材で製造する場合がある。アルミニウム合金製の中空押出形材は、対向する２枚の面板とこれら面板を接続する接続板からなる部材を押出成形によって製造される。鉄道車両の車体を製造する場合、まず、複数の中空押出形材を定盤上に並べて接合し、床面をなす台枠、側面をなす側構体、屋根をなす屋根構体等のパネルを製造する。この後、これらパネルを６面体に組み立てることによって鉄道車両を製造する。特許文献１には、中空押出形材を用いて車体（構体）を構成する例が開示されている。
【先行技術文献】
【特許文献】
【０００３】
【特許文献１】特開２００４−１３０８７２号公報
【発明の概要】
【発明が解決しようとする課題】
【０００４】
鉄道車両が走行する時に生じる騒音は、車輪が軌道（レール）上を転動することによって生じる機械的な転動音と、鉄道車両の周囲を流れる空気の乱れや摩擦等によって生じる空力騒音に大別される。一般に、鉄道車両の速度が２００ｋｍ／ｈを越えると、鉄道車両から生じる騒音の内、空力騒音が占める割合が支配的になるとされる。
【０００５】
空力騒音の音源としては、集電装置、集電装置の前後に配置して集電装置から生じる騒音を抑制するための風防カバー、鉄道車両の屋根に配設される特高ケーブルなどがある。
このため、鉄道車両としては、軽量で気密荷重に対する高い剛性を備えると同時に、空力騒音を抑制できるものが求められている。
【課題を解決するための手段】
【０００６】
上記の課題を解決するために、代表的な本発明の鉄道車両の一つは、中空押出形材からなる屋根構体と、屋根構体に備えられる特高ケーブルを有する鉄道車両であって、
特高ケーブルを、屋根構体を構成する中空押出形材の内部に備えることにより達成される。
【発明の効果】
【０００７】
本発明によれば、軽量で気密荷重に対する高い剛性を備えるとともに空力騒音を抑制できる鉄道車両を提供することができる。
上記した以外の課題、構成及び効果は、以下の実施形態の説明により明らかにされる。
【図面の簡単な説明】
【０００８】
【図１】図１は、本発明の鉄道車両の幅方向中央部の長手方向に沿う垂直断面図である。
【図２】図２は、鉄道車両の長手方向に交差する断面図（図１Ａ−Ａ断面図）である。
【図３】図３は、気密荷重が作用する鉄道車両の屋根構体のせん断力図（ＳＦＤ）の模式図である。
【図４】図４は、図３に示す屋根構体の幅方向中央部（図３のＢ部相当）の拡大断面図である。
【図５】図５は、図３に示すその他の例の屋根構体の幅方向中央部（図３のＢ部相当）の拡大断面図である。
【図６】図６は、屋根構体をなす押出中空形材の内部に挿入される特高ケーブルの挿入部の部分断面図（図１のＣ部相当）である。
【発明を実施するための形態】
【０００９】
以下、図面を参照して本発明を実施するための形態を説明する。まず、以下の説明に供する鉄道車両に関係する各方向を、鉄道車両１（以下、車両１と記す）の長手方向（レール方向）１００と、車両１の幅方向（枕木方向）１１０と、長手方向１００および幅方向１１０に直交する車両１の高さ方向１２０と定義する。以下、単に長手方向１００、幅方向１１０、高さ方向１２０と記す。
【００１０】
（実施例１）
図１は本発明の実施の形態に係る鉄道車両の幅方向中央部の長手方向に沿う垂直断面図であり、図２は鉄道車両の長手方向に交差する断面図（図１のＡ−Ａ断面図）である。図２に示されるように、車両１は、床面をなす台枠１０と、台枠１０の幅方向１１０の端部に立設される側構体２０と、台枠１０の長手方向１００の両端部に立設される妻構体４０と、側構体２０および妻構体４０の上端部に載置される屋根構体３０などから構成される。
【００１１】
台枠１０は、長手方向１００に交差する断面形状がＴ字状の複数のリブ（図示なし）を備える平板状の押出形材と、その下面に長手方向１００に沿って離散的に備えられる複数の横梁１４と、横梁１４の幅方向１１０の両端に長手方向１００に沿って備えられる一対の側梁１２などから構成される。
【００１２】
側構体２０および屋根構体３０は、対向する２枚の面板とこれら面板を接続する複数の接続板からなる中空押出形材から構成されており、これら中空押出形材は長手方向１００に沿う方向に押出成形されるアルミニウム合金製である。
【００１３】
側構体２０および屋根構体３０の車内側には、車内外の熱の出入りを抑制する断熱材５０が備えられる。側構体２０の車内側に備えられる断熱材５０は側パネル５３で覆われ、屋根構体３０の車内側に備えられる断熱材５０は天井パネル５２で覆われる。台枠１０の上面には台枠１０の下方に備えられる空調装置（図示なし）で調和される調和空気を車内へ供給したり、車内から空調装置への再循環空気等を導いたりする空調ダクト５９が備えられる。空調ダクト５９の上方に備えられる上床５８には、座席５６などが固定される。
【００１４】
また、図１に示されるように、屋根構体３０の上面の幅方向１１０の中央部にはその長手方向１００に沿って特高ケーブル７０が備えられている。一般的に、複数の鉄道車両によって編成が構成される場合、一つの編成には、複数の主回路に対応して複数の集電装置が存在することとなる。特高ケーブル７０は、これらの複数の主回路に対応する各集電装置同士を接続して、複数の集電装置を同電位に保つ機能を有する。このため、一つの集電装置が架線から離線した場合でも、他の集電装置が離線していなければ、集電装置と架線との間に生じるアークの発生を抑制することができる。したがって、特高ケーブル７０は、電波障害や集電装置のすり板の異常な摩耗を抑制する機能を有する。
【００１５】
従来、特高ケーブル７０は、屋根構体３０の長手方向１００の全長に渡って屋根構体３０の上面に、長手方向１００に沿って離散的に備えられる複数の固定具（図示なし）によって固定されていた。このため、これら固定具は、車両１が高速で走行する際には、集電装置等と同様に空力騒音の音源にもなっていた。さらに、複数の固定具で特高ケーブル７０を屋根構体３０の上面に敷設する作業は、部品点数が多くなり、車体の製作工数と重量を押し上げる課題があった。
【００１６】
本発明の実施例１においては、図１に示すように、ジョイント７２から車両１の長手方向１００の中央部に向けて延伸する特高ケーブル７０は、屋根構体３０をなす中空押出形材の対向する２枚の面板の間の空間に配設される。
【００１７】
以上の構成によって、特高ケーブル７０を屋根構体３０の上面に固定具で固定する製作工数とその重量を削減することができるとともに、固定具による空力騒音の発生を効果的に抑制できる鉄道車両を提供することができる。
【００１８】
（実施例２）
本実施例は、特高ケーブル７０を挿入する、中空押出形材の構造に関するものである。
【００１９】
まず、車体の変形に関連する気密加重について、図３を用いて説明する。図３は、気密荷重が作用する鉄道車両の屋根構体のせん断力図（ＳＦＤ）の模式図である。車両１が高速でトンネルを通過する際、トンネル内壁と車両１の外面との空間の圧力（以下、車外圧力と記す）が大気圧を基準としてプラス側とマイナス側に大きく変動する。これに対して、車両１は車内外の空気の出入りが基本的に少ない気密性を備えているので、車内圧力はほぼ大気圧に維持される。
【００２０】
車外圧力がプラス側に変動する時、車外から車内へ押す方向（収縮）の気密荷重が車両１に作用し、車外圧力がマイナス側に変動する時、車外圧力が車内から車外へ押す方向（膨張）の気密荷重が車両１に作用する。
【００２１】
車外圧力がマイナス側に変動した時の気密荷重９０が車両１の屋根構体３０に作用する時、屋根構体３０はその幅方向１１０の両端部が側構体２０の上端部に拘束されるため、屋根構体３０の幅方向１１０の両端部に最も大きなせん断力が作用し、屋根構体３０の幅方向１１０の中央部（図３のＢ部）にはせん断力がほとんど作用しない。
【００２２】
従来、屋根構体３０は、気密荷重９０に起因するせん断力に抗するため、第１面板（車外側の面板３２）と第２面板（車内側の面板３４）とこれら面板を接続する斜めリブ３３からなる中空押出形材で構成されていた。特に、第１面板３２と第２面板３４とを４５°前後の傾斜角で接続する斜めリブ３３を、屋根構体３０の幅方向１１０の全体に渡って備えることによって、気密荷重に起因するせん断力に抗して、屋根構体３０の変形を抑制していた。
【００２３】
図４は、実施例２を詳しく説明するための図であり、図３に示す屋根構体の幅方向中央部（図３のＢ部相当）の拡大断面図である。実施例２で開示する屋根構体３０は、気密荷重９０に起因するせん断力がほとんど作用しない屋根構体３０の幅方向１１０の中央部に配設される。
【００２４】
屋根構体３０の中央部に備えられる中空押出形材は、車外側の第１面板３２と、車内側の第２面板３４と、両面板を大きく傾斜して接続する複数の斜めリブ３３と、両面板を斜めリブ３３より大きい角度で接続する縦リブ３５ａ（外側縦リブ）および縦リブ３５ｂ（内側縦リブ）を備える。
【００２５】
こうした構成によって、実施例２で開示する車両１は、屋根構体３０の一対の縦リブ３５ｂと第１面板３２および第２面板３４とで囲まれる空間に、特高ケーブル７０を備えることができる。このため、特高ケーブル７０を屋根構体３０の上面に固定具で固定する製作工数とその重量を削減することができるとともに、固定具による空力騒音の発生を効果的に抑制することができる。
【００２６】
このような、第１面板３２、第２面板３４、縦リブ３５ａ（外側縦リブ）、縦リブ３５ｂ（内側縦リブ）との関係をさらに詳しく説明すると、次のようになる。縦リブ３５ａは、第１面板３２の第１接続部３６ａからほほ垂下する態様で、第２面板３４の第２接続部３６ｂに接続する。縦リブ３５ｂは、縦リブ３５ａより屋根構体３０の中央部寄りの第３接続部３７ａから屋根構体３０の中央部寄りに傾斜する態様で、第２面板３４の第４接続部３７ｂに接続する。
【００２７】
第１面板３２と第２面板３４と一対の縦リブ３５ｂ（内側縦リブ)とで囲まれる空間７５は、第１面板３２の側の幅寸法Ｗ１（第３接続部３７ａ同士の間隔）が第２面板３４の側の幅寸法Ｗ２（第４接続部３７ｂ同士の間隔）より大きい逆台形状である。
【００２８】
また、空間７５の形状を幅寸法Ｗ１が幅寸法Ｗ２より大きい逆台形状とすることによって、縦リブ３５ｂが傾斜する態様で第１面板３２と第２面板３４とを接続している。
【００２９】
このため、第１面板３２に接続する一対の縦リブ３５ｂ（内側縦リブ）の幅方向の第１間隔（Ｗ１）が、第２面板３４に接続する一対の縦リブ３５ｂ（内側縦リブ）の幅方向の第２間隔（Ｗ２）より大きく設定された略逆台形であることにより、屋根構体３０の幅方向１１０の中央部に少なからず作用するせん断力に効果的に抗することができる。
さらに、斜めリブ３３に第２接続部３６ｂから下方に、第２面板３４等と一体に押出成形される断面Ｌ字状の補強リブ３４Ｌを備えることができ、この補強リブ３４Ｌによって、屋根構体３０の幅方向１１０の中央部の剛性が高められるとともに、補強リブ３４Ｌに天井パネル５２を固定することもできる。
【００３０】
さらに、空間７５の形状を幅寸法Ｗ１が幅寸法Ｗ２より大きい略逆台形状とし、開口部３２ａの幅方向寸法を特高ケーブル７０の外径Ｄより大きくすることで、特高ケーブル７０を開口部３２ａを経由して空間７５に挿入することができる。これにより、特高ケーブル７０の屋根構体３０内への設置に係る製造工数を削減できるので、製造コストの小さい鉄道車両を提供できる。
【００３１】
さらに、実施例２の変形例として、幅寸法Ｗ２を特高ケーブル７０の外径Ｄより若干小さく設定し、この空間７５の内部に特高ケーブル７０を備える時、特高ケーブル７０は第２面板３４と一対の縦リブ３５ｂの下端部に緩やかに拘束されるので、特高ケーブル７０は車両１の振動等によって空間７５の内部で縦リブ３５ｂ等に衝突することを防止できる。このため、特高ケーブル７０を覆う外被等が損傷して品質が劣化することを抑制できる。
【００３２】
（実施例３）
本実施例は、特高ケーブル７０を挿入する、中空押出形材の構造であって、実施例２とは異なる構造に関するものである。図５は、実施例３を詳しく説明するための図であり、図３に示す屋根構体の幅方向中央部（図３のＢ部相当）の拡大断面図である。
【００３３】
縦リブ３５ｃ（図５参照）を縦リブ３５ａ（外側縦リブ）に略平行に配置するとともに、一対の縦リブ３５ｃの間隔Ｗ３を特高ケーブル７０の外径Ｄより大きく設定しても、特高ケーブル７０を簡単に屋根構体３０の内部に設置することができる。
【００３４】
（実施例４）
本実施例は、特高ケーブル７０を押出中空形材の内部に挿入する挿入部の構造に関する。図１において、特高ケーブル７０の終端部には、特高ケーブル７０を接続するジョイント７２が備えられる。ジョイント７２は、略流線形状のジョイントカバー７４で覆われており、ジョイント７２の空力騒音の発生を抑制している。
図６は、屋根構体をなす押出中空形材の内部に挿入される特高ケーブルの挿入部の部分断面図（図１のＣ部相当）である。特高ケーブル７０は、屋根構体３０をなす中空押出形材の第１面板３２に設けられる開口部３２ａから中空押出形材の内部に挿入される。
【００３５】
蓋７６は、蓋７６の上面に特高ケーブル７０を中空押出形材の内部に挿入するための筒７７を備える。筒７７は、その軸が蓋７６に対して３０°前後の緩やかな角度で交差する態様で蓋７６に固定される。筒７７および筒７７から屋根構体３０の上方に備えられる特高ケーブル７０およびジョイント７２は、略流線形状のジョイントカバー７４に覆われており、ジョイント７２および特高ケーブル７０などから生じる空力騒音の発生を抑制する。
【００３６】
以上の構成によって、特高ケーブル７０を屋根構体３０の上面に固定具で固定する製作工数とその重量を削減することができるとともに、固定具による空力騒音の発生を効果的に抑制できる鉄道車両を提供することができる。
【００３７】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。さらに、各実施例の構成の一部について、他の構成の追加、削除、置換をすることが可能である。
【符号の説明】
【００３８】
１…車両                              １０…台枠
１４…横梁                            ２０…側構体
３０…屋根構体
３２…第１面板（車外側面板）          ３４…第２面板（車内側面板）
３３…斜めリブ                        ３４Ｌ…補強リブ（天井パネル受）
３５ａ…縦リブ（外側縦リブ）          ３５ｂ…縦リブ（内側縦リブ)
３６ａ…第１接続部                    ３６ｂ…第２接続部
３７ａ…第３接続部                    ３７ｂ…第４接続部
４０…妻構体                          ５０…断熱材
５２…天井パネル                      ５３…側パネル
５４…荷棚                            ５６…座席
５８…上床                            ５９…空調ダクト
７０…特高ケーブル                    ７２…ジョイント
７４…ジョイントカバー                ７５…空間
７６…蓋                              ７７…筒
９０…気密荷重                        １００…長手方向
１１０…幅方向                        １２０…高さ方向
【図１】
2018203138.tif 000003
【図２】
2018203138.tif 000004
【図３】
2018203138.tif 000005
【図４】
2018203138.tif 000006
【図５】
2018203138.tif 000007
【図６】
2018203138.tif 000008